(57)【要約】      （修正有）【課題】所持管理者から強奪され、使用されることを防ぐ官用貸与拳銃の提供。【解決手段】リボルバーのグリップ底部に取り付けるランヤードリング１取り付け回転軸をグリップ内部に延長して水平回転カムをグリップフレーム内面側に取り付け、その水平回転カム上部に、水平回転カムの水平回転に対応作動する縦回転カムブロックがグリップパネルスクリュー４を水平軸として縦回転できるように取り付けた構造によって、グリップ外部のランヤードリングの回転に伴い、グリップ内部の水平回転カム３が回転し、その水平回転カムの水平回転軌道上に上部から縦回転軌道が交差するように縦回転カムを配置し、それぞれのカムに交差軌道上において互いの作動を伝えさせるために水平回転カムには水平方向に、縦回転カムには下方に突出部を設け、縦回転カムは取り付けられたリターンスプリングによって後回転させられ、銃内部の既存の激発装置であるハンマーストラット７の下降を阻止した状態を保つ。【選択図】図３−２
0003221648.tif 000002
【実用新案登録請求の範囲】
【請求項１】
リボルバー（回転弾倉式拳銃）のグリップ（銃把）底部に取り付けるランヤードリング取り付け回転軸をグリップ内部に延長して水平回転カムを取り付け、それに対応作動する縦回転カムブロックと水平軸によって、銃内部の既存の激発装置のハンマーストラットの下降を阻止して、激発不能とする構造。
【請求項２】
通常は請求項１におけるランヤードリング取り付け回転軸が回転して、水平回転カムが水平回転しても、所定の回転停止位置以外では縦回転カムブロックを回転させずに、ハンマーストラットの下降を阻止しているが、所定の回転停止位置によってのみ、縦回転カムブロックは所定の角度を縦回転し、ハンマーストラットの下降を許して、激発可能とする構造。
【請求項３】
請求項１と請求項２におけるそれぞれのランヤードリング軸の回転停止位置によって銃は激発不能状態と激発可能状態に分かれるが、グリップ内のスプリングとグリップ外のランヤード自体の重力を利用して通常は激発不能位置に絶えず自動でリセットできるようにした構造。
【考案の詳細な説明】
【技術分野】
【０００１】      本考案は主に警察官、その他の法執行機関の職員に貸与される拳銃が強奪される事案において、銃を取り合う格闘の際、銃口が当事者の警察官（以下、その他の法執行機関員を省略）に向けられた時は、トリガーを引いても撃発せず、奪い返して強奪者側に向けたときは撃発出来るようにした標的追尾型の自動安全装置である。また、当事者の警察官が不意打ち攻撃を受けた時やその他の不覚の要因で銃の奪還が不可能となりランヤードを切断され強奪される時、既に銃は撃発不能状態となり、トリガーやハンマーを強引に作動させれば銃本体の他の内部部品が損傷し、容易に修復が出来なくする自己破壊装置でもある。
【背景技術】
【０００２】      従来の官用貸与拳銃の回転弾倉式拳銃では、手動操作による安全装置は装備されていない。一部、施錠式のものはあるが、保管時はともかく、職務中の携帯時において、緊急時には解除に手間がかかるため実用性が低く、むしろ所持管理者である警察官の危険は増大してしまう。また、電子技術的な装置では、バッテリーの保全管理の問題や格闘の際に破損、不作動、誤作動を起こす危険性があり、生命を託す装置としては信頼性が低い。
【特許文献】不明
【０００３】
【特許文献１】
【特許文献２】
【非特許文献】不明
【０００４】
【非特許文献１】
【考案の概要】
【考案が解決しようとする課題】
【０００５】  現状の回転弾倉式拳銃は弾倉の開閉操作時や銃の落下時の暴発を防ぐ安全装置は装備されているが、撃つべき射手、撃たせざるべき射手の識別と銃口方向の識別をも行い、撃発の可否を判断する安全装置は存在していない。そのため、公務中の警察官が貸与拳銃を強奪され、本人、および無関係の一般市民等に銃撃被害が発生した場合、その銃の公的管理運用責任を追及される可能性が大きく、その賠償額も高額になることが懸念される。また、この事案は発生の予測が困難であり、かつ発生時に格闘の際の大きな衝撃を伴うことが多いので、電子装置ではバッテリーやデリケートな電子回路などの保全負担も大きく、万一の時の確実な作動が困難である。したがって、堅牢確実な作動性、コスト面、人体工学、心理反応をも考慮した対策が必要である。
【課題を解決するための手段】
【０００６】  ランヤードリング固定軸をグリップ内部に延長し、その上部に偏心円筒型の水平回転カムを被せてセットスクリューで固定した。外周部分に一部スリットを設け回転軸下方に突起を持つ縦長扇型の縦回転カムを、グリップ内のグリップスクリュー部に被せて保持させ、絶えず後方に回転しようとするようにスプリングをセットした。
【考案の効果】
【０００７】  回転弾倉式拳銃の、銃自体に、標的と射手の位置情報をランヤードの向きによって機械的に識別させ、銃口管理、撃発制限を行う自動安全装置を付与を実現した。また、この装置の組み込みは、ランヤードリングを専用のものに差し替えることと頑丈な数点の小型部品をグリップ内の空きスペースに組み込むだけであり、銃本体の改造や加工を一切必要としない。したがって、既存の採用拳銃に対しての装備、運用面でも多くの利点が見込まれる。
本考案によって、懸案である凶悪犯による貸与拳銃強奪事案を失敗させるという目的と同時に、万一、強奪されてしまった場合でも、自動的に撃発不能状態となっている銃に対して強引な射撃操作を行うことが、重要な撃発部品の破損や変形ロックを招かせ、第三者への二次、三次被害をも防止することが出来る。また、正規の射撃姿勢を伴わない操作では撃発しないため、射撃訓練での撃つべき標的以外への暴発事故に対しても、防止効果を発揮出来る。
正規の射手（警察官）が撃つべき対象者（凶悪犯）や標的に対して発砲し正確に命中させる時には、正規の射撃姿勢を取り、両手保持によって正確に照準し、動揺のないハンマーとトリガーの操作を行えば本来の発砲目的を達することとなる。
【図面の簡単な説明】
【０００８】  下記図面の説明は本考案の装置を日本現用警察拳銃に組み込んだ時の図面として説明する。（但し、撃発に直接関わりなき部品は図示しない。以下同様）
【図３−１】本考案の所定座標の並び、または銃口方向が合致して自動安全装置が解除され撃発可能となった状態で、トリガーが引ける（ダブルアクション）時の側面図である。
【図３−２】本考案の所定座標の並びと銃口方向が合致していない時、自動安全装置が働いて撃発不能状態になっている時の側面図である。
【図３−３】本考案の所定座標の並びと銃口方向が合致して自動安全装置が解除され撃発可能となった状態で、ハンマーが起こされた（シングルアクション）時の側面図である。
【考案を実施するための形態】
【０００９】  本考案は位置情報把握の３点座標を形成するために、射手、拳銃、標的に対して以下のように座標を設定した。第１座標は射手の帯革に連結されたランヤードの根元、第２座標は拳銃、第３座標は標的そのものとする。そこに座標の並びを認識させ、撃発の可否を決定させるための部品を拳銃のグリップ内部に用意した。ランヤードリング固定軸（以下リング固定軸）をグリップ内部に必要分延長し、その先端に被せる円筒を、周囲の前面と左右側面を切り欠き、後方のみ残した偏心円筒状部品を用意した。これを延長されたリング固定軸の上部に被せ、後方から止めネジで固定した。この時、止めネジが各座標を一直線に並べて固定出来るようにリング軸の後方が一部かまぼこ型に切削されている。リング固定軸はもともとランヤードに引っ張られても追随するように回転可能となっているため、この偏心円筒状部品をリング軸に被せたものを水平回転カムとその垂直軸として利用する。対応する縦回転カムはグリップパネルの固定スクリューを縦回転の水平軸として利用する。縦回転カムブロックの形状は側方から見て、開き始めた扇型であり、その外周部には一部スリットを設け、回転軸の下方にはくちばし状の突起を持っている。この変形扇型の縦回転カムブロックは水平軸を支点に縦回転する時、前述のくちばし状突起部分が水平回転カムの軌道上に進入して、その出入りによって、全体が前転、後転するように配置している。その縦回転カムはスプリングによって、絶えず後方（侵入方向）に回転しようしている
【実施例】
【００１０】  以下、添付図面によって装置の組み込みと各部品の役割を説明する。本考案を実施するには本考案の装置を現用警察拳銃に組み込む。最初に、グリップスクリューを抜き去り、グリップパネル８の片面（後方から見て左側面）と既存のランヤードリングを取り外し、１の本考案ランヤードリング、３の水平カムセットに組み替える事と、残る片面のグリップパネルのスクリュー貫通用のパイプ状プラスティック軸に５の縦回転カムブロックを装着し、そのリターンスプリング６をカムに設けられた穴と銃本体のグリップフレームの内側に引っ掛けて、絶えず縦回転カムが後方回転しようとするようにセットする。グリップパネル８を元どおりに取り付ける。上記の部品の組み替え、組み込みが終了すれば、後は従来の日常の装備装着と同じである。
ランヤードリングに所定のランヤード先端の金具を装着して他方を腰の帯革の所定位置に装着し、拳銃をホルスターに収納すれば準備完了となる。この状態ですでに、ランヤードにかかる重力によりランヤードリングはホルスターに収めた銃のグリップ側面、またはグリップ前面に垂らされることとなり、撃発不能状態を維持することとなる。従って、携帯拳銃は絶えず安全状態であり、所持管理者である警察官のみが発砲の意思を以て正規の射撃体勢を整えた時のみ撃つべき相手を発砲できることとなる。
以下、添付図によって、装置の部品の動きによる撃発の可否と位置情報把握のための座標の並びについて説明する。
図１はこの考案を構成する部品の形状および相互の作動を表し、この時の部品の作動位置は水平カムの回転により縦回転カムブロックが突起部分を押し上げられて前方回転した撃発可能状態を示す。なお、この時の銃口方向は右側である。
図２はこの考案の構成部品のランヤードリングが後方から側方へ向きを変えたため、水平回転カムの停止位置が変化して、縦回転カムブロックが後方回転し、その下側の突起部分が下方に沈むことによって、銃内部の既存の撃発装置の作動を撃発可能状態から撃発不能状態に導くことを示す。同じく銃口方向は右のまま。
図３−１は本考案の装置が銃に組み込まれて撃発可能状態の時の銃全体の内部である。この時、ランヤードリングは後方に引かれており、縦回転カムブロックは前転状態で、その外周部のスリットはハンマーストラットの下降を許す位置に向いている。
図３−２は撃発不能状態の時で、ランヤードリングは後方に引かれずに銃に対して横方向を向いている。そのため、縦回転カムブロックは後転状態のままで、その外周部のスリットはハンマーストラットの下降を阻む位置に向いている。
図３−３は撃発可能状態の時、シングルアクションで撃鉄を起こしている状態。
図４のＡは警察官（座標１）、Ｂは凶悪犯を正規の射撃姿勢で照準した時の拳銃（座標２）、Ｃは強奪を実行しようとする凶悪犯（座標３）であり、すべての座標の並びも銃口方向も正しく合致して撃発可能な状態である。
図５は図面４の状況を各座標の並びと銃口方向を分かりやすくするための真上から見た配置図
図６は座標の順序は変わっていないが格闘中に銃口方向が警察官に向けられていて撃発不能になっている状態。
図７は同じく格闘中に銃口方向が流れ弾の危険性を含む側面に向けられたため撃発不能になっている状態。
図８は再び警察官が拳銃を奪い返して犯人側に向けた撃発可能な状態。
図９は射撃訓練中に、正規の射撃姿勢で標的Ｄを射撃している警察官の状態。
図１０はその隣で射撃中に、正規の射撃姿勢を執らずに銃口方向を標的以外の方向に向けたまま、トリガーを引こうとして撃発不能になった状態。
【産業上の利用可能性】
【００１１】  公務中の官用貸与拳銃の強奪防止以外にも、射撃訓練時の暴発事故や、携帯中、または銃庫への返納時の暴発事故等も防止出来る。また、海外の実弾射撃場のシューティングレンジでの標的方向以外への発砲事故の防止にも役立つ。
【符号の説明】
【００１２】１  ランヤードリング
２  グリップロケーターピン
３  水平回転カム
４  グリップパネルスクリュー
５  縦回転カムブロック
６  縦回転カムブロックリターンスプリング
７  ハンマーストラット
８  グリップパネル
９  ハンマー（撃鉄）
１０  シア
１１  トリガー（引き金）
１２  ハンマーストラット通過用スリット
１３  回転弾倉
１４  水平回転カム固定スクリュー
【図１】
0003221648.tif 000003
【図２】
0003221648.tif 000004
【図３−１】
0003221648.tif 000005
【図３−２】
0003221648.tif 000006
【図３−３】
0003221648.tif 000007
【図４】
0003221648.tif 000008
【図５】
0003221648.tif 000009
【図６】
0003221648.tif 000010
【図７】
0003221648.tif 000011
【図８】
0003221648.tif 000012
【図９】
0003221648.tif 000013
【図１０】
0003221648.tif 000014
【手続補正書】
【提出日】平成30年11月20日(2018.11.20)
【手続補正１】
【補正対象書類名】実用新案登録請求の範囲
【補正対象項目名】全文
【補正方法】変更
【補正の内容】
【実用新案登録請求の範囲】
【請求項１】
リボルバー（回転弾倉式拳銃）のグリップ（銃把）底部に取り付けるランヤードリング取り付け回転軸をグリップ内部に延長して水平回転カムをグリップフレーム内面側に取り付け、その上部に、それに対応作動する縦回転カムブロックをグリップパネルスクリューを水平軸として縦回転できるように取り付ける。この配置によって、グリップ外部のランヤードリングの回転に伴い、グリップ内部の水平回転カムが回転する。  その水平回転軌道上に上部から縦回転軌道が交差するように縦回転カムは配置され、それぞれのカムは交差軌道上において互いの作動を伝えるため、水平回転カムは水平方向に、縦回転カムは下方に突出部を設けている。通常、縦回転カムは取り付けられたリターンスプリングによって後回転しており、銃内部の既存の激発装置であるハンマーストラットの下降を阻止した状態を保ち、激発不能としている構造。
【請求項２】
通常は請求項１に記載の構造においてランヤードリング取り付け回転軸が回転して、水平回転カムが水平回転しても、所定の回転停止位置以外では縦回転カムブロックは回転せずに、ハンマーストラットの下降を阻止しているが、所定の回転停止位置、すなわち、警察官、拳銃、標的の３点の水平座標が一直線に揃った時のみ、水平回転してきた水平回転カムの水平方向突出部に縦回転カムブロックの下方突出部が押し上げられて所定の角度を前方回転することによって、ハンマーストラット通過用スリットをハンマーストラット下降軌道上に合致させてその下降を許し、激発可能とする構造。
【請求項３】
請求項１と請求項２のいずれかの構造において、ランヤードリング軸の回転停止位置によって銃は激発不能状態と激発可能状態に分かれるが、グリップ内の縦回転カムのリターンスプリングよって縦回転カム下部の突出部は接触する水平回転カムの突出部から逃げようとすることと、グリップ外のランヤード自体にかかる重力は拳銃のホルスター収納時にはランヤードを銃口方向に垂らそうとするため、水平回転カムの突出部の方が縦回転カムの突出部から逃げるため、ハンマーストラットの下降を許さず撃発を不能とする。また、警察官が撃つべき標的をその意思を以て正規の照準によって発砲しようとするとき以外の時も同様に警察官、拳銃、標的の３点の水平座標が揃わないので同じく撃発不能となる。従って、拳銃は正規の撃発状況を整えなければ、絶えず自動的に激発不能位置にリセットできるようになる構造。
【手続補正２】
【補正対象書類名】明細書
【補正対象項目名】０００８
【補正方法】変更
【補正の内容】
【０００８】
【図１】本考案の実施に必要な、日本現用警察拳銃に組み込む部品３点のそれぞれの正面図と上面図である。
【図２】本考案の部品３点を日本現用警察拳銃に組み込んだ時の相互の位置関係と銃内既存の撃発部品であるハンマーストラットの降下方向、またその通過を可否する時のそれぞれの水平回転カムと縦回転カムの接続作動を表す側面図である。下記図面の説明は本考案の装置を日本現用警察拳銃に組み込んだ時の図面として説明する。（但し、撃発に直接関わりなき部品は図示しない。以下同様）
【図３−１】本考案の所定座標の並び、または銃口方向が合致して自動安全装置が解除され撃発可能となった状態で、トリガーが引ける（ダブルアクション）時の側面図である。
【図３−２】本考案の所定座標の並びと銃口方向が合致していない時、自動安全装置が働いて撃発不能状態になっている時の側面図である。
【図３−３】本考案の所定座標の並びと銃口方向が合致して自動安全装置が解除され撃発可能となった状態で、ハンマーが起こされた（シングルアクション）時の側面図である。            本考案の所定座標の並び、または銃口方向が合致して自動安全装置が解除され撃発可能となった状態で、トリガーが引ける（ダブルアクション）時の側面図である。
【図４】警察拳銃の強奪を目的に凶器を以て襲撃しようとしている凶悪犯と拳銃を構えて制止しようとしている警察官の状況である。
【図５】図４の状況から強奪犯に向けて警察官が発砲に至った際の撃つべき標的（強奪犯）、拳銃、警察官を３点の座標と見立てた座標上面図である。
【図６】強奪犯が凶器を取り出すことなく素手で拳銃の強奪を試み、優勢となり、警察官に銃口を向け発砲しようとして撃発しなかった状態の上面図である。
【図７】同様に拳銃を奪い合う中で、銃口が第三者被害の危険を伴う方向に向けられて強奪犯、もしくは警察官が発砲しようとしても撃発しなかった状態の上面図である。
【図８】図７の状態から警察官が拳銃を奪い返し、強奪犯が凶器を取り出して襲い掛かって来たため、警察官が発砲し、撃発している状態の上面図である。本考案の実施に必要な、日本現用警察拳銃に組み込む部品３点のそれぞれの正面図と上面図である。
【図９】射撃訓練中に、正規の射撃姿勢で標的Ｄを射撃している警察官の状態。
【図１０】射撃訓練中に、正規の射撃姿勢を執らずに銃口方向を標的Ｄ以外の方向に向けたまま、トリガーを引こうとして撃発不能になった状態。
【手続補正書】
【提出日】平成31年1月21日(2019.1.21)
【手続補正１】
【補正対象書類名】実用新案登録請求の範囲
【補正対象項目名】全文
【補正方法】変更
【補正の内容】
【実用新案登録請求の範囲】
【請求項１】
リボルバー（回転弾倉式拳銃）のグリップ（銃把）底部に取り付けるランヤードリング取り付け回転軸をグリップ内部に延長して水平回転カムをグリップフレーム内面側に取り付け、その上部に、それに対応作動する縦回転カムブロックがグリップパネルスクリューを水平軸として縦回転できるように取り付けた構造によって、グリップ外部のランヤードリングの回転に伴い、グリップ内部の水平回転カムが回転し、その水平回転軌道上に上部から縦回転軌道が交差するように縦回転カムを配置し、それぞれのカムに交差軌道上において互いの作動を伝えさせるために水平回転カムには水平方向に、縦回転カムには下方に突出部を設け、縦回転カムは取り付けられたリターンスプリングによって後回転させられ、銃内部の既存の激発装置であるハンマーストラットの下降を阻止した状態を保ち、激発不能にしている構造。
【請求項２】
請求項１に記載の構造においてランヤードリング取り付け回転軸が回転して、水平回転カムが水平回転しても、所定の回転停止位置以外では縦回転カムブロックは回転せずに、ハンマーストラットの下降を阻止しているが、所定の回転停止位置、すなわち、警察官、拳銃、標的の３点の水平座標が一直線に揃った時のみ、水平回転してきた水平回転カムの水平方向突出部に縦回転カムブロックの下方突出部が押し上げられて所定の角度を前方回転することによって、ハンマーストラット通過用スリットをハンマーストラット下降軌道上に合致させてその下降を許し、激発可能とする構造。
【請求項３】
請求項１または請求項２のいずれかの構造において、ランヤードリング軸の回転停止位置によって銃は激発不能状態と激発可能状態に分かれるが、グリップ内の縦回転カムのリターンスプリングよって縦回転カム下部の突出部は接触する水平回転カムの突出部から逃げようとすることと、グリップ外のランヤード自体にかかる重力は拳銃のホルスター収納時にはランヤードを銃口方向に垂らそうとするため、水平回転カムの突出部の方が縦回転カムの突出部から逃げるため、ハンマーストラットの下降を許さず撃発を不能とし、また、警察官が撃つべき標的をその意思を以て正規の照準によって発砲しようとするとき以外の時も同様に警察官、拳銃、標的の３点の水平座標が揃わないので同じく撃発不能となって、拳銃が正規の撃発状況を整えなければ、絶えず自動的に激発不能位置にリセットできるようにした構造。
【手続補正書】
【提出日】平成31年3月18日(2019.3.18)
【手続補正１】
【補正対象書類名】実用新案登録請求の範囲
【補正対象項目名】全文
【補正方法】変更
【補正の内容】
【実用新案登録請求の範囲】
【請求項１】
リボルバー（回転弾倉式拳銃）のグリップ（銃把）底部に取り付けるランヤードリング取り付け回転軸をグリップ内部に延長して水平回転カムをグリップフレーム内面側に取り付け、その水平回転カム上部に、水平回転カムの水平回転に対応作動する縦回転カムブロックがグリップパネルスクリューを水平軸として縦回転できるように取り付けた構造によって、グリップ外部のランヤードリングの回転に伴い、グリップ内部の水平回転カムが回転し、その水平回転カムの水平回転軌道上に上部から縦回転軌道が交差するように縦回転カムを配置し、それぞれのカムに交差軌道上において互いの作動を伝えさせるために水平回転カムには水平方向に、縦回転カムには下方に突出部を設け、縦回転カムは取り付けられたリターンスプリングによって後回転させられ、銃内部の既存の激発装置であるハンマーストラットの下降を阻止した状態を保ち、激発不能にしている構造。
【請求項２】
請求項１に記載の構造においてランヤードリング取り付け回転軸が回転して、水平回転カムが水平回転しても、所定の回転停止位置以外では縦回転カムブロックは回転せずに、ハンマーストラットの下降を阻止しているが、所定の回転停止位置、すなわち、警察官、拳銃、標的の３点の水平座標が一直線に揃った時のみ、水平回転してきた水平回転カムの水平方向突出部に縦回転カムブロックの下方突出部が押し上げられて所定の角度を前方回転することによって、ハンマーストラット通過用スリットをハンマーストラット下降軌道上に合致させてその下降を許し、激発可能とする構造。
【請求項３】
請求項１または請求項２のいずれかの構造において、ランヤードリング軸の回転停止位置によって銃は激発不能状態と激発可能状態に分かれるが、グリップ内の縦回転カムのリターンスプリングよって縦回転カム下部の突出部は接触する水平回転カムの突出部から逃げようとすることと、グリップ外のランヤード自体にかかる重力は拳銃のホルスター収納時にはランヤードを銃口方向に垂らそうとするため、水平回転カムの突出部の方が縦回転カムの突出部から逃げるため、ハンマーストラットの下降を許さず撃発を不能とし、また、警察官が撃つべき標的をその意思を以て正規の照準によって発砲しようとするとき以外の時も同様に警察官、拳銃、標的の３点の水平座標が揃わないので同じく撃発不能となって、拳銃が正規の撃発状況を整えなければ、絶えず自動的に激発不能位置にリセットできるようにした構造。